(57)【要約】【課題】エリア放送に関する最新のエリア放送情報を得られるデータベースサーバ、受信端末装置及びデータベース更新システムを提供する。【解決手段】ＤＢサーバ（１０）は、エリア放送情報に基づいてエリア放送を受信可能で且つ受信するエリア放送のエリア放送情報を取得可能な受信端末装置（２０）に対し、エリア放送情報を提供してエリア放送を受信させる。受信端末装置と送受信可能なサーバ通信部（１２）と、エリア放送情報を格納するデータベース（１１）と、エリア放送情報に基づいて、データベースに格納されたエリア放送情報を更新するかどうかを判定する情報更新判定部（１４）と、情報更新判定部が更新すると判定した場合には、前記データベースに格納されたエリア放送情報を、受信端末装置が取得したエリア放送情報に更新するサーバ制御部（１３）と、を備える。【選択図】図２
2016096384.tif 000002
【特許請求の範囲】
【請求項１】
エリア放送情報に基づいてエリア放送を受信可能で且つ受信するエリア放送のエリア放送情報を取得可能な受信端末装置に対し、エリア放送情報を提供してエリア放送を受信させるデータベースサーバにおいて、
前記受信端末装置と送受信可能な通信部と、
前記エリア放送情報を格納するデータベースと、
前記エリア放送情報に基づいて、前記データベースに格納されたエリア放送情報を更新するかどうかを判定する情報更新判定部と、
前記情報更新判定部が更新すると判定した場合には、前記データベースに格納されたエリア放送情報を、前記受信端末装置が取得したエリア放送情報に更新するサーバ制御部と、
を備えることを特徴とするデータベースサーバ。
【請求項２】
前記サーバ制御部は、前記情報更新判定部が前記データベースに格納されている前記エリア放送情報の更新を判定した場合に、前記受信端末装置にエリア放送情報取得要求を行うことを特徴とする請求項１に記載のデータベースサーバ。
【請求項３】
エリア放送情報のデータベースを備えたデータベースサーバから前記エリア放送情報を得てエリア放送を受信可能な受信端末装置において、
放送波を受信して指定された局の選局や受信可能な局のサーチを行う放送波受信部と、
前記データベースサーバと送受信可能な通信部と、
前記受信端末装置の位置を示す位置情報を取得する位置情報取得部と、
各部を制御する端末制御部と、
を備え、
前記端末制御部は、前記データベースサーバに前記位置情報取得部にて取得した位置情報を前記データベースサーバに送り、前記位置情報に対応するエリア放送情報を得て選局を行い、受信可能なエリア放送情報を取得し、前記データベースサーバに取得した前記エリア放送情報を送信することを特徴とする受信端末装置。
【請求項４】
前記端末制御部は、前記データベースサーバからエリア放送情報取得要求があった場合には、受信可能なエリア放送を選局して、そのエリア放送情報を取得することを特徴とする請求項３に記載の受信端末装置。
【請求項５】
請求項１又は２に記載のデータベースサーバと、
請求項３又は４に記載の受信端末装置と、
を備えることを特徴とするデータベース更新システム。
【発明の詳細な説明】
【技術分野】
【０００１】
本発明は、格納しているエリア放送情報を更新可能なデータベースサーバ、受信端末装置及びデータベース更新システムに関する。
【背景技術】
【０００２】
近年、エリア放送が登場し、その活用が考えられている。エリア放送は、限られた区域内における放送需要に応えるための放送であり、用途としては、地域コミュニティや商店街向けの情報提供、災害・防災情報提供、交通情報提供等が想定される。
【０００３】
エリア放送を視聴するためには、ユーザが受信端末装置を用いて当該地域でチャンネルサーチを行う方法や、物理チャンネルが分かっている場合は物理チャンネルを直接指定して選局する方法がある。これに対し、全国のエリア放送の放送エリアと物理チャンネルが分かっていれば、受信端末装置の位置情報と照合することで、当該エリアのエリア放送をワンタッチで選局することが可能となる。
【０００４】
エリア放送の参入は非特許文献１にあるように届出制となっており、免許が交付された放送局の情報は総務省のＨＰで開示されている。この情報を元に各地のエリア放送で使用されるチャンネルのデータベースを作成することが可能である。
【先行技術文献】
【非特許文献】
【０００５】
【非特許文献１】“エリア放送参入マニュアル（第４．１版）”、平成２６年７月１日、総務省、情報流通行政局、［平成２６年１１月５日検索］、インターネット＜URL：http://www.soumu.go.jp/soutsu/kanto/bc/eria/index.html＞
【発明の概要】
【発明が解決しようとする課題】
【０００６】
エリア放送局は新たな開局や閉鎖があるため、受信端末装置が上記のデータベースを元に選局を行う場合、データベースを常に最新の情報にアップデートする必要がある。これには、ＨＰの情報を元に人手で行う、あるいはＨＰの情報を自動で取得して加工する等の方法があるが、それぞれ、ＨＰに最新情報が公開されるまでのタイムラグや、人手でデータベース更新を行うことによる更新漏れ・更新遅れによりデータベースに最新情報が反映されない問題、公開情報のフォーマットが変わった場合に更新できない等の問題がある。
【０００７】
本発明は、斯かる実情に鑑み、エリア放送に関する最新のエリア放送情報を得られるデータベースサーバ、受信端末装置及びデータベース更新システムを提供しようとするものである。
【課題を解決するための手段】
【０００８】
本発明は、エリア放送情報に基づいてエリア放送を受信可能で且つ受信するエリア放送のエリア放送情報を取得可能な受信端末装置に対し、エリア放送情報を提供してエリア放送を受信させるデータベースサーバにおいて、
前記受信端末装置と送受信可能な通信部と、前記エリア放送情報を格納するデータベースと、前記エリア放送情報に基づいて、前記データベースに格納されたエリア放送情報を更新するかどうかを判定する情報更新判定部と、前記情報更新判定部が更新すると判定した場合には、前記データベースに格納されたエリア放送情報を、前記受信端末装置が取得したエリア放送情報に更新するサーバ制御部と、を備えることを特徴とする。
【０００９】
また、本発明は、エリア放送情報のデータベースを備えたデータベースサーバから前記エリア放送情報を得てエリア放送を受信可能な受信端末装置において、
放送波を受信して指定された局の選局や受信可能な局のサーチを行う放送波受信部と、
前記データベースサーバと送受信可能な通信部と、前記受信端末装置の位置を示す位置情報を取得する位置情報取得部と、各部を制御する端末制御部と、を備え、
前記端末制御部は、前記データベースサーバに前記位置情報取得部にて取得した位置情報を前記データベースサーバに送り、前記位置情報に対応するエリア放送情報を得て選局を行い、受信可能なエリア放送情報を取得し、前記データベースサーバに取得した前記エリア放送情報を送信することを特徴とする。
【００１０】
また、本発明は、前記データベースサーバと、前記受信端末装置と、を備えることを特徴とするデータベース更新システムである。
【発明の効果】
【００１１】
本発明によれば、エリア放送を受信した受信端末装置のエリア放送情報に基づいてデータベースサーバのデータベースが更新されるので、受信端末装置は最新のエリア放送情報（放送地域と放送物理チャンネル）を利用することができる。
【図面の簡単な説明】
【００１２】
【図１】エリア放送のＤＢサーバと受信端末装置を備えたシステムの概要図である。
【図２】ＤＢサーバと受信端末装置を示すブロック図である。
【図３】第１実施形態における各受信端末装置がエリア放送情報をＤＢサーバから取得して視聴する手順を示すシーケンス図である。
【図４】第１実施形態におけるＤＢの更新手順を示すシーケンス図である。
【図５】図４に続く第１実施形態におけるＤＢの更新手順を示すシーケンス図である。
【図６】ＤＢのデータ例を示す図である。
【図７】受信端末装置の表示部の表示画面の遷移例を示す図である。
【図８】第２実施形態におけるＤＢサーバの指示により受信端末装置がエリア放送情報を取得してＤＢサーバに通知する手順を示すシーケンス図である。
【発明を実施するための形態】
【００１３】
以下、本発明の実施の形態を添付図面を参照して説明する。
本発明は、エリア放送の受信端末装置が共通に利用する、各エリアのチャンネル情報が格納されたデータベースを、各受信端末のエリア放送受信時の情報により最新に保つ技術である。
図１は、エリア放送のＤＢ（データベース）サーバと受信端末装置を備えたシステムの概要図である。同図のように、このエリア放送システムは、スマートホンやタブレット端末などの受信端末装置２０（図１では、２０ａ、２０ｂ）が携帯電話網３０経由でインターネット３３上のエリア放送のＤＢサーバ１０にアクセスするシステムである。受信端末装置２０ａは、地域Ａというエリア放送の受信領域に位置し、受信端末装置２０ｂは、地域Ｂというエリア放送の受信領域に位置する。それぞれの受信端末装置２０ａ，２０ｂは、携帯電話網３０を通じてゲートウェイサーバ３４にアクセスし、ゲートウェイサーバ３４からインターネット３３を介してＤＢサーバ１０に接続可能である。
【００１４】
図２は、ＤＢサーバと受信端末装置を示すブロック図である。
【００１５】
エリア放送ＤＢサーバ１０は、ＤＢ（データベース）１１と、サーバ通信部１２と、サーバ制御部１３と、情報更新判定部１４とを備える。
【００１６】
ＤＢ（データベース）１１は、各地域のエリア放送情報を格納する。「エリア放送情報」は、地域コード（位置情報）、使用物理チャンネル、放送局情報（放送ＴＳ（Transport Stream）のＮＩＴ（Network Information Table）より取得される情報）、情報更新日時等の情報であり、地域コードにより各情報を参照できる。
【００１７】
サーバ通信部１２は、通信回線を介して各受信端末装置２０とデータの送受信を行う。
【００１８】
サーバ制御部１３は、サーバ通信部１２を通して入力される受信端末装置２０からの要求により、ＤＢ１１から適切なデータを取得し、受信端末装置２０に対しエリア放送受信のための情報を提供し、動作の制御を行う。
【００１９】
情報更新判定部１４は、ＤＢ１１に格納されているエリア放送情報や受信端末装置２０から取得するエリア放送情報に基づいて、ＤＢ１１の更新が必要か否かを判定する。サーバ制御部１３は、この判定に基づいて、ＤＢ１１の更新を行う。
【００２０】
受信端末装置２０は、放送波受信部２１と、端末通信部２２と、位置情報取得部２３と、端末制御部２４と、表示部２５と、操作部２６と、記憶部２７とを備える。
【００２１】
放送波受信部２１は、チューナが放送波を受信し出力するＴＳ（Transport Stream）を解析し、映像・音声・データ放送等に分離し、それぞれを表示・出力する機能を持つ。端末制御部２４の制御により、物理チャンネルを指定した受信や、受信可能な放送局のサーチを行う。
【００２２】
端末通信部２２は、ＤＢサーバ１０とデータの送受信を行う。
位置情報取得部２３は、ＧＰＳ等を利用して受信端末装置２０の現在位置を取得する。
【００２３】
端末制御部２４は、受信端末装置２０全体の動作を制御する。デジタル放送受信のための動作制御や、エリア放送受信時のＤＢサーバ１０との通信制御を行う。
表示部２５は、受信中の放送映像や、ユーザに提示する情報を端末制御部２４の制御により表示する。
【００２４】
操作部２６は、ユーザからの操作を受け付け、端末制御部２４に通知する。
記憶部２７は、端末制御部２４の動作に必要なアプリケーションデータやエリア放送情報などのデータを格納する。
【００２５】
本発明のポイントはＤＢ１１の更新を自動的に行う点だが、以下ではサーバ１０に置かれたＤＢ１１の情報を使用して各受信端末装置２０が選局を行う際の動作も合わせて説明する。
【００２６】
〔第１実施形態〕
図３は第１実施形態における各受信端末装置がエリア放送情報をＤＢサーバから取得して視聴する手順を示すシーケンス図、図４は第１実施形態におけるＤＢの更新手順を示すシーケンス図、図５は図４に続く第１実施形態におけるＤＢの更新手順を示すシーケンス図である。図６はＤＢのデータ例を示す図である。図７は、受信端末装置の表示部の表示画面の遷移例を示す図である。
【００２７】
まず、受信端末装置２０は、図７（ａ）に示すように、通常のテレビジョン放送（広域放送・県域放送）を受信して表示しているものとする。放送映像表示領域５１には、受信した地上波テレビジョン放送の映像を表示し、データ表示領域５２には、通常放送におけるデータ放送のデータを表示している。
【００２８】
さて、ユーザが受信端末装置２０の操作部２６を操作して、エリア放送の受信を行うものとする。図７（ｂ）に示すように、選局画面をデータ表示領域５２に表示させる。データ表示領域５２の受信可能な放送局の一覧の中から「エリア放送」を選択し、「エリア放送」を斜体文字としてエリア放送の選択が行われたことを示す。
【００２９】
図３に示すように、受信端末装置２０の端末制御部２４は、エリア放送局を選局する処理を開始する（ＵＥ１１）。後述するが、図４及び図５の更新処理においてＵＥ１１に戻ってくる場合もある。位置情報取得部２３に位置情報を取得させる（ＵＥ１２）。端末制御部２４はエリア放送情報の問い合せを行う信号を端末通信部２２を介してＤＢサーバ１０に送信し、エリア放送情報の問い合せを行う。「エリア放送情報の問い合せ」信号には、位置情報取得部２３が取得した位置情報や端末ＩＤなども含まれる。端末ＩＤにより、ＤＢサーバ１０は、複数の受信端末装置２０から該当する受信端末装置を識別できるようになる。
【００３０】
ＤＢサーバ１０のサーバ制御部１３は、受信端末装置２０から送出された「エリア放送情報問い合せ」信号をサーバ通信部１２を介して受け取る（ＳＶ１２）。サーバ制御部１３は、位置情報から「location_code」を求める（ＳＶ１３）。これは位置情報をＤＢ１１が管理する位置の単位に変換することを意味する。
【００３１】
情報更新判定部１４は、ＤＢ１１に格納されている当該地域のエリア放送情報が使用できて更新が不要かを判定する（ＳＶ１４）。例えば、当該地域の情報が未登録の場合や、エリア放送なしと登録されていて、最終更新から２週間以上経過している場合等にはエリア放送情報が使用不可と判断して更新が必要であると判定する。最終更新からの期間は、任意にユーザが設定できるようにしてもよい。ＤＢ１１に格納されているエリア放送情報が使用できないと判断された場合、図４のＳＶ２１に進み、ＤＢ１１を更新する処理を行う。
【００３２】
また、物理チャンネルの登録があれば情報が古くてもそのチャンネルを使用可能とし、エリア放送情報が使用可と判断する。ＤＢ１１に格納されているエリア放送情報が使用可能と判断された場合、サーバ制御部１３は当該エリア放送情報をサーバ通信部１２を介して受信端末装置２０に送信する（ＳＶ１５）。このエリア放送情報は、上述したように、物理チャンネル、ＮＩＴ情報、受信帯域などの情報である。また、当該地域のエリア放送情報が使用可であるが、エリア放送がなしとされている場合は、受信端末装置２０に「エリア放送無し」を通知する。この場合受信端末装置２０は以降の動作を行わずに、表示部２５には図７（ｄ）の画面表示を行う。放送映像表示領域５１には「エリア放送を受信できません。」というメッセージを表示し、データ表示領域５２には、選局候補が表示されている。
【００３３】
受信端末装置２０の端末制御部２４は、送られたエリア放送情報を記憶部２７に格納し、このエリア放送情報に基づいて放送波受信部２１により選局を行う（ＵＥ１４）。つまり、ＤＢサーバ１０から受信した、当該地域におけるエリア放送の物理チャンネル、受信帯域を使用して選局を行う。ＤＢサーバ１０から複数のチャンネルを指定された場合は、受信可能なチャンネルが見つかるまで順次選局を行う。
【００３４】
このとき、受信端末装置２０の表示部２５は、図７（ｃ）に示すように、放送映像表示領域５１には、「エリア放送選局中…」とメッセージを表示をして、エリア放送選局中であることをユーザに示す。データ表示領域５２には、図７（ｂ）と同じ表示として「エリア放送」を選択していることを示す。
【００３５】
こうして端末制御部２４は、放送波受信部２１を用いてエリア放送が受信できるかを確認する（ＵＥ１５）。
【００３６】
指定された物理チャンネルで受信できなかった場合は、そのチャンネルを開始チャンネルとしてサーチを開始する（図４のＵＥ２２へ進む）。
【００３７】
指定された物理チャンネルで受信できた場合は、端末制御部２４は、受信成功をＤＢサーバ１０へ通知する（ＵＥ１６）。このとき受信成功とともに、受信できたＮＩＴ情報をＤＢサーバ１０に通知する。受信端末装置２０は、エリア放送を視聴する（ＵＥ１７）。
【００３８】
この時の受信端末装置２０の表示部２５は、図７（ｅ）に示すように、放送映像表示領域５１にはエリア放送の映像を表示し、データ表示領域５２には、「○○エリア放送受信中」のメッセージと共に、エリア放送のデータを表示する。
【００３９】
ＤＢサーバ１０のサーバ制御部１３は、受信成功の通知とＮＩＴ情報を受信した場合に、ＤＢ１１の該当するエリア放送情報の更新日時を更新する（ＳＶ１６）。このとき通知されたＮＩＴ情報が登録されている情報と異なる場合は、通知されたＮＩＴ情報にＤＢ１１のエリア放送情報を更新する。
【００４０】
次に図４のＤＢ１１の更新処理について説明を行う。
【００４１】
ＤＢサーバ１０のサーバ制御部１３は、ＳＶ１４において受信端末装置２０から要求のあった地域のエリア放送情報が使用できないと判断した場合は、ＳＶ２１に進み、要求した受信端末装置２０に対し、エリア放送情報の取得を要求する（ＳＶ２２）。
【００４２】
受信端末装置２０はこの要求をトリガとしてチャンネルサーチを開始するが、ＤＢサーバ１０の指示若しくは受信端末装置２０の記憶部２７が保持する既存のテレビ局による放送等の、当該地域でエリア放送以外で使用されているチャンネルの情報を基に、エリア放送が放送される可能性のあるチャンネルのみをサーチして、サーチ時間の短縮を図ることもできる。
【００４３】
受信端末装置２０は、「エリア放送情報取得要求」を受信する（ＵＥ２１）。次のＵＥ２２においては、図３のＵＥ１５で、エリア放送受信ができない場合に、ここに進んでくる。そして、端末制御部２４は、放送波受信部２１を用いて受信可能なエリア放送局のサーチ選局を行う（ＵＥ２３）。サーチを行うことによってエリア放送受信が成功したかを確認する（ＵＥ２４）。
【００４４】
エリア放送受信の成功確認が出来なければ、図５のＵＥ３１に進み、さらなるＤＢ１１の更新処理を行う。
【００４５】
エリア放送受信の成功確認ができれば、端末制御部２４は、サーチ中に移動する可能性もあるため、再度位置情報を取得する（Ｕ２５）。次に、取得したエリア放送情報をＤＢサーバ１０に送る（ＵＥ２６）。つまり、受信物理チャンネルとＮＩＴ情報をＤＢサーバ１０に送信する。
【００４６】
ＤＢサーバ１０はエリア放送情報を受信する（ＳＶ２４）。サーバ制御部１３は、受信したエリア放送情報によりＤＢ１１の該当地域のエリア放送情報を更新する（ＳＶ２５）。そして、図３のＳＶ１１に戻る。
【００４７】
次に図５のＤＢ１１の更新処理について説明を行う。
【００４８】
図４のＵＥ２４にてエリア放送が受信できなかった場合に、図５のＵＥ３１に進む。受信端末装置２０の端末制御部２４は、エリア放送を受信できなかったことをＤＢサーバ１０に通知する（ＵＥ３２）。このとき、サーチ開始時の位置情報と終了時の位置情報を付加してもよい。サーチ中の各チャンネルの受信状態（受信信号強度、キャリアノイズ（CN）比、変調波の有無等）の情報を付加してもよい。これらの情報は、受信中のチャンネルで物理波が全く検出できなかったか、それとも物理波は検出できたが、ノイズ等によりＴＳを受信できなかったかを示す情報となるため、ＤＢサーバ１０が、ＤＢ更新が必要か否かの判断に使用することができる。
【００４９】
また、ＤＢサーバ１０は、図４のＳＶ２２でエリア放送情報取得要求したあと、ＳＶ２３に進む。ＤＢサーバ１０は、受信不可情報を受信する（ＳＶ３１）。そして情報更新判定部１４がＤＢ１１の更新が必要か否かを判定する（ＳＶ３２）。エリア放送が受信できた場合は、１つの受信端末装置２０からの情報でＤＢ１１を更新できるが、受信できなかった場合は、その受信端末装置２０に何等かの問題（妨害波を受けた、アンテナの状態が悪かった等）があった可能性があるため、この場合のＤＢ更新は、複数の受信端末装置２０からの情報を得て判断する。
【００５０】
判断方法としてたとえば下記がある。
エリア放送局に十分近い場所の受信端末装置２０からの情報を有効な情報として、
１）当該地域での受信不可情報がひとつまたは複数の端末から連続してｘ回通知された場合
２）登録済みの物理チャンネルをサーチ時の受信状態が、放送波が無いことを示す通知が、ひとつまたは複数の端末から連続してｘ回通知された場合
にＤＢ更新が必要と判断する。
上記でｘ回は例えば１０回とする。これはユーザが任意に設定できるようにしても良い。
【００５１】
ＤＢ更新が不要の場合は、図３のＳＶ１１に進み、ＤＢ１１のエリア放送情報により受信端末装置２０にエリア放送を受信させる。
【００５２】
ＤＢ更新をする場合は、サーバ制御部１３は、受信したエリア放送情報によりＤＢ１１の該当地域のエリア放送情報を更新する（ＳＶ３３）。そして、図３のＳＶ１１に戻る。
【００５３】
図６は、ＤＢ１１に格納されているエリア放送情報を示す図である。
・物理ＣＨと更新日時以外は、エリア放送のＮＩＴから取得する情報である。「放送局位置※」はエリア放送の運用規定では、ＮＩＴにこの情報を記載することは必須ではないため、放送局によっては情報登録されない。
・「ｌｏｃａｔｉｏｎ＿ｃｏｄｅ」は、送信局の所在地を示し、全国地方公共団体コードの上位５桁の数字を使用する。
・「ｓｔａｔｉｏｎ＿ｉｄ」は、送信局を識別するラベルである。
・「ｓｉｇｎａｌ＿ｆｏｒｍａｔ」は、放送信号の形式を示す。
（０ｘ０１：フルセグ型エリア放送、０ｘ０２：ワンセグ型エリア放送、０ｘ０３：Ｎｕｌｌ付きワンセグ型エリア放送）
この情報により、選局時の帯域を指定することができる（サーチ時は放送形式が分かっていないため、どの放送形式のＮＩＴも取得できるモードでチューナを動作させる）。
・「ｓｔａｉｏｎ＿ｉｄ」の登録がない地域のエリア放送は未登録またはエリア放送なしとなる（更新日時が登録されていればエリア放送なし）。
【００５４】
上記はＮＩＴのエリア放送記述子に記載される「ｌｏｃａｔｉｏｎ＿ｃｏｄｅ」で地域を指定する例だが、さらに細かなブロックに分割し、より精度の高いエリア放送情報を提供することも可能である。
【００５５】
こうして、実際に各地でエリア放送を受信した受信端末装置のエリア放送情報に基づいてＤＢサーバのデータベースが更新されるので、受信端末装置は最新のエリア放送情報（放送地域と放送物理チャンネル）を利用することができる。
【００５６】
〔第２実施形態〕
第１実施形態でのＤＢ１１の更新は、受信端末装置２０でのエリア放送受信というユーザ操作により行われるものだが、ＤＢサーバ１０からの指示で受信端末装置２０がエリア放送情報を取得する方法や、受信端末装置２０にユーザ操作によらずにエリア放送情報取得動作を行う機能を設ける方法等によって行うこともできる。第２実施形態は、受信端末装置２０が自動的にエリア放送情報取得動作を行う例である。
【００５７】
図８は、第２実施形態におけるＤＢサーバ１０の指示により受信端末装置２０がエリア放送情報を取得してＤＢサーバに通知する手順を示すシーケンス図である。
【００５８】
ＤＢサーバ１０の情報更新判定部１４は、一定時間（例：１回／１週間）毎にＤＢ１１をチェックし、更新日時が古い地域のＤＢがあった場合にＤＢ更新必要と判断する（ＳＶ４１）。または、データに関わらず時間により定期的にＤＢ更新を行うようにしてもよい。
【００５９】
ＤＢ更新が必要と判断した場合、ＤＢ更新が必要な地域を指定するメッセージを作成し、受信端末装置２０に送信する（ＳＶ４２）。つまり、ＤＢ１１を更新するために受信可能なエリア放送情報の取得要求を行うということである。地域が指定されたＤＢ更新要求が受信端末装置２０に受信され（ＵＥ４１）、位置情報取得部２３が位置情報を取得する（ＵＥ４２）。受信端末装置２０の端末制御部２４は、位置情報から受信端末装置２０が指定された地域内に存在するかを判断する（ＵＥ４３）。指定地域内になければ最初の状態（ＵＥ４１）に戻る。指定地域内にあれば、ＵＥ４５に進む。
【００６０】
ここで、受信端末装置２０が定期的にエリア放送情報を取得してＤＢサーバ１０に送信する場合は、定期取得タイミング時にＵＥ４４から処理が開始される。
【００６１】
端末制御部２４は、放送波受信部２１によりテレビ受信中であるかを判断する（ＵＥ４５）。地域内の受信端末装置２０がテレビ受信中であれば、ＤＢ更新要求は無視してＵＥ４１に戻り、次のＤＢ更新要求があるまでＴＶ視聴を行う。ＴＶ視聴終了後に、ＤＢ更新処理（バックグラウンド、すなわち、ユーザに映像や音声を提示せずに放送波の受信を行う状態でのサーチ実行）を行ってもよい。
【００６２】
テレビ受信中でなければ、端末制御部２４はバックグラウンドでサーチを実行する。次にサーチによりエリア放送の受信が成功したかを確認する。エリア放送の受信が成功した場合、端末制御部２４は位置情報取得部２３により位置情報を取得し（ＵＥ４８）、エリア放送情報をＤＢサーバ１０に送信する（ＵＥ４９）。
ＤＢサーバ１０は、受信物理チャンネルとＮＩＴ情報からなるエリア放送情報を受信する（ＳＶ４３）。
【００６３】
また、サーチによるエリア放送の受信が成功しなかった場合、受信端末装置２０は受信不可情報をＤＢサーバ１０に送信する（ＵＥ５０）。
ＤＢサーバ１０は、受信不可情報をエリア放送情報として受信する（ＳＶ４３）。
【００６４】
サーバ制御部１３は、受信したエリア放送情報によりＤＢ１１の該当地域のエリア放送情報を更新する（ＳＶ４４）。
【００６５】
こうして、ＤＢサーバ１０の指示や受信端末装置が自動的に定期的にエリア放送情報のＤＢ更新を行うので、ユーザが手間をかけることなく、常に受信端末装置は最新のエリア放送情報（放送地域と放送物理チャンネル）を利用することができる。
【００６６】
本発明によるＤＢサーバ及び受信端末装置で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory）などの各種ＲＯＭやＨＤＤ（Hard Disk Drive）に格納され、必要に応じてＣＰＵによって読み出し、修正・書き込みが行われる。また、各構成の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【００６７】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。また上記プログラムは、前述した機能の一部を実現するためのものであっても良く、さらに前述した機能をコンピュータシステムにすでに記録されているプログラムとの組み合わせで実現できるものであっても良い。
【００６８】
以上、この発明の実施形態を図面を参照して詳述してきたが、具体的な構成はこれらの実施形態に限られるものではなく、この発明の要旨を逸脱しない範囲の設計変更等された発明も含まれる。
【符号の説明】
【００６９】
１０    ：ＤＢサーバ
１１    ：データベース
１２    ：サーバ通信部
１３    ：サーバ制御部
１４    ：情報更新判定部
２０    ：受信端末装置
２０ａ  ：受信端末装置
２０ｂ  ：受信端末装置
２１    ：放送波受信部
２２    ：端末通信部
２３    ：位置情報取得部
２４    ：端末制御部
２５    ：表示部
２６    ：操作部
２７    ：記憶部
【図１】
2016096384.tif 000003
【図２】
2016096384.tif 000004
【図３】
2016096384.tif 000005
【図４】
2016096384.tif 000006
【図５】
2016096384.tif 000007
【図６】
2016096384.tif 000008
【図７】
2016096384.tif 000009
【図８】
2016096384.tif 000010